【手続補正書】
【提出日】平成17年9月2日(2005.9.2)
【手続補正１】
【補正対象書類名】明細書
【補正対象項目名】全文
【補正方法】変更
【補正の内容】
【書類名】  明細書
【発明の名称】  連続する接着剤網状組織を有するエンボス加工され接合される貼合せシートおよびその上に並置される浮き出し模様
【特許請求の範囲】
【請求項１】
接着剤により対面関係に一体に接合される２つ以上のプライと、前記接着剤が連続する網状組織で前記プライ間に介挿され、
複数個の浮き出し模様と、前記浮き出し模様が、貼合せシートに直角に変形されると共に、前記プライを接着接合し、前記浮き出し模様が前記接着剤の前記連続する網状組織と一致し、好ましくは前記浮き出し模様が非ランダム反復模様からなり、さらに好ましくは前記浮き出し模様が相互に隔離され、
からなる貼合せシート。
【請求項２】  前記貼合せシートが、縦方向と縦方向に垂直な幅方向とを有し、前記浮き出し模様の模様が、前記縦方向と前記幅方向とに対し斜めに配設される一次的配向を有し、好ましくは、前記接着剤の前記連続する網状組織が、前記縦方向と前記幅方向とに整列される一次的配向を有する、請求項１記載の貼合せシート。
【請求項３】  前記浮き出し模様の同様な隔離模様と位置合せされる前記接着剤の隔離閉止図形を有する、請求項１および２のいずれか１項に記載の貼合せシート。
【請求項４】  第一プライと第二プライの２つのプライを有し、前記第一プライと前記第二プライが、ノブ対ノブの浮き出し模様により一体に接着接合され、前記第一プライと前記第二プライの各々が、浮き出し模様を有し、前記第一プライの前記浮き出し模様が、前記第二プライの前記浮き出し模様と位置合せされている、請求項１、２および３のいずれか１項に記載の貼合せシート。
【請求項５】  対面関係に一体に接合される２つのプライからなり、各前記プライが、他の前記プライの方に配向される内面と、他の前記プライに対向し離れて配向される外面とを有し、各前記プライが、浮き出し模様と非エンボス域とを有し、前記浮き出し模様が、他の前記プライの非エンボス域で他の前記プライの方に配向され、他の前記プライに対して圧縮されかつ接着接合されることによって、両前記プライが、接着剤により一体に接合され、前記接着剤が、連続する網状組織で前記両プライ間に介挿されている貼合せシート。
【請求項６】  前記浮き出し模様が、非ランダム反復模様を有する、請求項５に記載の貼合せシート。
【請求項７】  前記浮き出し模様が、相互に隔離される、請求項５および６のいずれか１項に記載の貼合せシート。
【請求項８】  前記浮き出し模様の模様が、菱形形状模様である、請求項５、６および７のいずれか１項に記載の貼合せシート。
【請求項９】  前記貼合せシートが、縦方向と縦方向に直角の幅方向とを有し、浮き出し模様の前記模様が、前記縦方向と前記幅方向とに対し斜めに配設される一次的配向を有する、請求項５、６、７および８のいずれか１項に記載の貼合せシート。
【発明の詳細な説明】
【０００１】
発明の分野
本発明は、貼合せシート（以下ラミネートともいう。）を形成するための複数個の紙プライのエンボス加工、特に、強さを向上し浮き出し模様（以下エンボスメントともいう。）を接合する（以下結合するともいう。）ために接着剤を使用するプライの一体（接合（以下結合ともいう。）、およびそれにより得られるラミネートに関する。
【０００２】
発明の背景
多プライの紙は、周知技術を使用して対面関係で一体に接着結合されている。特に適当で市場で優れた技術は、ギブン（Givens）に対し１９９２年９月１日に発行され、ここに参考に組み入れる特許第５，１４３，７７６号明細書に見られる。
【０００３】
エンボス加工による紙の多プライ結合も周知である。エンボス加工は、突出部の隣接末端面を接着結合してノブ対ノブ方式でラミネートを形成することにより行える。ノブ対ノブ・エンボス加工はウェル（Wells）に対し１９６８年１２月３日に発行され、ここに参考に組み入れる米国特許第３，４１４，４５９号明細書に記載されている。ノブ対ノブ・エンボス加工に有用な形態例はアップルマン（Appleman）に対し１９７６年３月９日に発行され、ここに参考に組み入れる米国特許Des.第２３９，１３７号明細書に開示されている。アップルマン（Appleman）は、市場で優れた紙タオル地に見られるエンボス加工形態を例示している。他の形式のノブ対ノブ・エンボス加工はラッペル（Ruppel）他に対し１９９５年８月２２日に発行された米国特許第５，４４３，８８９号明細書に開示されている。
【０００４】
さらに他の形式のエンボス加工は、グレシャム（Gresham）に対し１９７０年１２月１５日に発行された米国特許第３，５４７，７２３号明細書；ニストランド（Nystrand）に対し１９７１年１月１９日に発行された米国特許第３，５５６，９０７号明細書；ドネリ（Donnelly）に対し１９７３年１月２日に発行された米国特許第３，７０８，３６６号明細書；トーマス（Thomas）に対し１９7３年６月１２日に発行された米国特許第３，７３８，９０５号明細書；ニストランド（Nystrand）に対し１９７５年２月１８日に発行された米国特許第３，８６７，２２５号明細書；およびバウエムフェインド（Bauemfeind）に対し１９８４年１１月２０日に発行された米国特許第４，４８３，７２８号明細書に示すように、接着結合エンボスメントが相互に位置くい違いしている嵌合エンボス加工である。
【０００５】
さらに他のエンボス加工は、マクネイル（McNeil）に対し１９９４年３月１５日に発行され、ここに参考に組み入れる米国特許第５，２９４，４７５号明細書に見えられる。マクネイル（McNeil）は、キルチング布状外観と厚いキャリパーを有する多プライ・ラミネートが生ずる二重プライ貼合せを開示する。
【０００６】
３つの上記エンボス加工技術の各々に共通する１つの特長は、各々において、紙のエンボスメントがエンボス・ロールの突起により紙の平面から偏向していることである。ついで、プライを結合する接着剤が紙のエンボスメントに塗布される。ついで、プライは接着剤により対面関係で一体に結合される。
【０００７】
これらの技術はプライを対面関係で永久に結合する。残念ながら、いずれも得られたラミネート内に強さを生じない。
【０００８】
エンボス加工は、また、チャンドラー（Chandler）に対し１９９２年１１月１８日に公告された英国特許第２，２２５，７４５号明細書；シュルツ（Schulz）に対し１９９７年４月１５日に発行された米国特許第５，６２０，７７６号明細書；およびピクニュル（Pigneul）他に対し１９９０年１２月１８日に発行された米国特許第４，９７８，５６５号明細書に開示すように、得られたラミネートに美的特長を付与するためにも使用される。ラミネートに美的特長を付与するさらに他の技術は、グラペ（Grupe）他に対し１９９３年５月１１日に発行された米国特許第５，２０９，９５３号明細書に開示すように、印刷である。残念ながら、ラミネートに美的に満足する特長を付与するこれらいずれの方法も、その強さを向上させない。
【０００９】
強さを向上させる試みが、ケック（Keck）他に対し１９８５年６月１１日に発行された米国特許第４，５２２，８６３号明細書およびテン・ウォルデ（Ten Wolde）に対し１９９０年４月1０日に発行された米国特許第４，９１５，９９３号明細書に例示されている。ケック（Keck）他およびテン・ウォルデ（Ten Wolde）はスクリムまたはグリッド状補強布からなる中間層を有するラミネートを開示する。スクリムおよび補強布はともにラミネートの中心に付加される個別、分離、連続するプライである。残念ながら、この強さを生ぜしめるアプローチには、２つの外側プライ間に介挿される付加プライを必要とする。多プライはなお、一体に接着結合されて所望の単一ラミネートを形成しなければならない。
【００１０】
単一紙プライに本質的に連続する網状組織を付与する市場で優れた試みは、トロクハン（Trokhan）に対し１９８７年１月２０日に発行され、ここに参考に組み入れる米国特許Des.第４，６３７，８５９号明細書に開示されている。トロクハン（Trokhan）は、本質的に連続する網状組織を有する偏向用部材に生成され、ヤンキー乾燥ドラム等表面に押しつけて圧痕形成されて本質的に連続する模様（以下形態ともいう。）を形成する紙を開示する。
【００１１】
従って、この発明の目的は複数個のプライからなるラミネートを提供することにある。さらに、この発明の目的は、プライを一体にエンボス加工したラミネートを提供することにある。最後に、この発明の目的は、ラミネートに強さを付与する接着剤の連続グリッドを有するラミネートを提供することにある。
【００１２】
本発明の要旨
この発明はラミネートからなる。このラミネートは、対面関係で一体に接着結合される２つ以上のプライからなる。接着剤は本質的に連続する網状組織（ネットワーク）状にプライ間に介挿される。プライは複数個のエンボスメントによりエンボス加工される。エンボスメントは、ラミネートの平面に直角に、好ましくは他のプライの方へ変形される。プライはエンボスメントで一体に結合される。エンボスメントは接着剤の本質的に連続する網状組織と一致する。
【００１３】
他の実施例において、発明は、対面関係で一体に接着結合される２つ以上のプライからなるラミネートを製造する方法からなる。この方法は、対面関係で接着結合される少なくとも２つのプライを準備する工程を含む。プライはエンボス加工されることにより第一プライの第一面が第二プライの第一面と対面関係で結合されることによって第一プライと第二プライは複数個のエンボスメントにより一体に結合される。複数個のエンボスメントは接着剤の本質的に連続する網状組織と一致する。
【００１４】
本発明の詳細な説明
図１を参照すると、本発明はラミネート１０からなる。ラミネート１０は複数個の２つ以上のプライ１２からなる。以下の説明では２つのプライ１２について述べているが、当業者は、ラミネート１０は２つ以上の多数のプライからなることができると理解しよう。
【００１５】
ラミネート１０の各、個別プライ１２は第一面２０と第二面２２とを有する。プライ１２が対面関係で一体に結合されると、各プライ１２は内面２０と外面２２とを有する。各プライ１２の第一面ないし内面２０は、他のプライ１２に配向される。各プライ１２の第二面ないし外面２２は、他のプライ１２から離れて配向される。
【００１６】
本発明による各プライ１２は、従来のように乾燥されるか、または通気空気乾燥される。プライ１２を有する紙は、トロクハン（Trokhan）に対し発行された米国特許第４，１９１，６０９号明細書；ジョンソン（Johnson）他に対し発行された米国特許第４，５１４，３４５号明細書；トロクハン（Trokhan）に対し発行された米国特許第４，５２９，４８０号明細書；トロクハン（Trokhan）に対し発行された米国特許第５，２４５，０２５号明細書；トロクハン（Trokhan）に対し発行された米国特許第５，２７５，７００号明細書；ラシュ（Rasch）他に対し発行された米国特許第５，３２８，５６５号明細書；トロクハン（Trokhan）に対し発行された米国特許第５，３３４，２８９号明細書；スマルコスキ（Smurkoski）他に対し発行された米国特許第５，３６４，５０４号明細書；トロクハン（Trokhan）他に対し発行された米国特許第５，５２７，４２８号明細書；トロクハン（Trokhan）他に対し発行された米国特許第５，５５６，５０４号明細書；エイヤ（Ayers）他に対し発行された米国特許第５，６２８，８７６号明細書；トロクハン（Trokhan）他に対し発行された米国特許第５，６２９，０５２号明細書；およびアンプルスキ（Ampulski）他に対し発行された米国特許第５，６３７，１９４号明細書のいずれにも教示されているように、通気空気乾燥または従来のように乾燥される。上記特許の開示は参考にここに組み入れる。
【００１７】
任意に、本発明による紙は短縮されてよい。任意の短縮はクレープ加工または湿潤マイクロ収縮により行われる。クレープ加工および湿潤マイクロ収縮は、ウェル（Wells）他に対し発行された米国特許第４，４４０，５９７号明細書；およびソーダイ（Sawdai）に対し発行された米国特許第４，１９１，７５６号明細書に開示されている。上記特許の開示は参考にここに組み入れる。
【００１８】
プライ１２は下記のように一体に接着結合される。適当な接着剤３０は水性である。好ましくは、接着剤３０は、ポリビニールアルコールよりなる。ポリビニールアルコールは量として３〜７重量％、好ましくは約５重量％が接着剤３０に添加される。
【００１９】
所望により、ポリアミド樹脂、特に、カチオンポリアミド樹脂を接着剤３０に添加してよい。ポリアミド樹脂の添加により、プライ１２の湿潤強度を高め、ラミネート１０のプライ１２間のプライ結合強度を高める。適当なポリアミド樹脂は、ハーキュルズ・ケミカル社（Hercules Chemical Co.）により販売されるカイメン（KYMENE）（登録商標）である。ポリアミド樹脂にカイメン（KYMENE）（登録商標）を選んだ場合は、量として約１〜５重量％、好ましくは、約２〜４重量％、さらに好ましくは、約２．５重量％を塗布する。
【００２０】
接着剤３０は、図３〜図４に示すように、本質的に連続形態で塗布する。接着剤３０は、本質的に連続形態でラミネート１０の一方または両プライ１２に塗布する。本質的に連続形態は、前記米国特許第４，６３７，８５９号に記載されている。
【００２１】
図２を参照すると、接着剤３０は、図３〜図４に示すように、本質的に連続形態で塗布する。接着剤３０は、噴霧、フレキソ転写およびグラビア転写を含む周知の手段で塗布される。接着剤３０が噴霧される場合、噴霧ノズルからの所望形態の噴霧とともに、周知のメルト・ブロウされた接着剤３０のスパイラル形態が適当な形態である。
【００２２】
グラビア転写には、図２の装置４０が使用される。この装置４０は、グラビア・ロール４４、アプリケーター・ロール４８および圧胴５０の順で、３対の軸方向に平行な接着ロール５０からなる。接着剤３０は、溜め４２に配され、グラビア・ロール４４により溜め４２から取り上げる。接着剤３０は、グラビア・ロール４４からアプリケーター・ロール４８に移される。圧胴５０はアプリケーター・ロール４８と並置される。プライ１２は、アプリケーター・ロール４８と圧胴５０との間を通る。接着剤３０は、好ましくは、アプリケーター・ロール４８によりプライ１２の第一内面２０に塗布される。接着剤３０は、グリッドまたは他の適当な形態に似て、本質的に連続する形態で塗布される。同様なミラー像装置４０は他のプライ１２に転写する。
【００２３】
このような装置４０で、接着剤３０は一定の形態で各プライ１２に転写できる。好ましくは、一方のプライ１２の接着剤３０の所望の形態が他方のプライ１２の接着剤３０の所望の形態と位置が一致するように、２つのアプリケーター・ロール４８が一体に、間接的でも、同調される。
【００２４】
もちろん、２つのアプリケーター・ロール４８が、それぞれのプライ１２に本質的に連続する網状組織全体を転写する必要がないことは分かる。形態の一部、たとえば、形態の縦方向は第一プライ１２と連合してアプリケーター・ロール４８により転写される。形態の他の部分、たとえば、形態の幅方向部分は第二プライ１２のアプリケーター・ロール４８により転写される。２つのプライ１２が組合わさると、グリッド全体となり、本質的に連続する網状組織を形成する。
【００２５】
接着剤３０が、第一プライ１２，第二プライ１２または両方に塗布された後、プライ１２は２つの形態ロール５２間を通りエンボス加工される。形態ロール５２は、前記米国特許第５，２９４，４７５号明細書に記載される形式である。また形態ロール５２は、従来周知のように、ノブ対ノブまたは嵌合エンボス加工に有用な形式でもよい。ノブ対ノブ・エンボス加工に適する形態ロール５２は前記米国特許第３，４１４，４５９号明細書に開示されている。嵌め合いエンボス加工に適する形態ロール５２は前記米国特許第３，５５６，９０７号明細書に開示されている。
【００２６】
アプリケーター・ロール４８と形態ロール５２は周知の（図示せず）手段を使用して一体に同調される。たとえば、アプリケーター・ロール４８と形態ロール５２は一体に連動させる。２つの形態ロール５２はまた、一体に連動させて２つのプライ１２間の所望の一致を確実にする。
【００２７】
また、インライン・フェーズ・アドジャスターに対する一定駆動を利用してもよい。インライン・フェーズ調節は、システムの駆動モータと周知のように同調されるロールの一方との間に結合されるインライン太陽・遊星歯車により行うことができる。適当なフェーズ・アドジャスターは、コーン・ドライブ・オペレーションズ社（Cone Drive Operations, Inc.ミシガン州、トラバース市）により製造される。
【００２８】
また、同調は、同調されるのが望ましい２つのロール間のプライ１２の進路長さを変化することにより行ってもよい。進路長さは、遊びロールをウエブ進路に設置し、ウエブ進路に垂直なベクトル成分を有する方向に遊びロールを調節することにより変化できる。同調を行うこのようなすべての手段は周知であり、本発明の部分を構成しない。
【００２９】
図３に示すように、好ましくは、エンボスメント６０は、非ランダム反復形態からなる。さらに好ましくは、エンボスメント６０は、相互に隔離されている。相互に隔離されているエンボスメント６０は、本質的に連続する非エンボス加工域により互いに隔離される。エンボスメント６０の適当な市場で優れた形態は、図示のように、菱形よりなる。一集団となった複数個のエンボスメント６０は、菱形形態を形成するが、各各個エンボスメント６０は、形態とは関係のない形状とし他のエンボスメント６０と組み合わせて形成してよいことを、認識することは重要である。たとえば、各個エンボスメント６０は、図示のように、卵形、円形、方形、長方形等でよい。
【００３０】
ラミネート１０は、縦方向とこれに垂直な幅方向とを有する。エンボスメント６０の形態は、縦方向と幅方向に対して斜めに配される一次的配向を有する。たとえば、図３に示される形態は、縦方向と幅方向に平行なベクトルを二等分して、４５度の角度で配される菱形の一辺の一次的配向を有する。
【００３１】
接着剤３０の本質的に連続する形態は、縦方向と幅方向に対して斜めに配される、一次的配向を有する形態で配される。この構成は、エンボスメント６０の隣接列間のピッチに同一的に相当する接着剤３０の隣接線間のピッチを有する、網状組織を与える。
【００３２】
接着剤３０の本質的に連続する網状組織が縦方向と幅方向に専ら整列され、すべての、または少なくとも殆どのエンボスメント６０と一致すれば、接着剤３０の線は比較的に密に間隔がおかれる。一集団にあまり密に間隔がおかれる接着剤３０の線は望ましくなく、なぜならば、この間隔は、得られるラミネート１０の費用を増大し、ラミネート１０の吸収性を不当に減少し、ラミネート１０の柔かさの使用者の知覚に消極的に影響するからである。
【００３３】
所望により、縦方向と幅方向に平行な一次的配向を有する接着剤３０の本質的に連続する網状組織は、縦方向と幅方向に対し斜めに配される一次的配向を有する接着剤３０の第一の本質的に連続する網状組織に重ね合わされることがある。この形態は利用される２つの異なるピッチに許容される。第一ピッチは、エンボスメント６０の隣接反復ユニット・セル間の間隔に相当する。第二ピッチは、エンボスメント６０の隣接列間の間隔に相当する。
【００３４】
図４Ａを参照すると、接着剤３０は、さらに個別閉止図形模様を有する。もちろん、上記のように、個別閉止図形模様はエンボスメント６０の同様な形態と位置合せされることがある。この構成は、密に間隔をおいたエンボスメント６０を接合するために不当量の接着剤３０を要することなく、プライ１２のため、第一プライ１２と第二プライ１２とを一体に結合させる。この構成は、接着剤３０の使用を最小にすることにより柔らかさと吸収性の損失を減少する。
【００３５】
図４Ｂを参照すると、エンボスメント６０の同様な形態に対し、種々の形態の接着剤が利用できることが認識される。図４Ｂの接着剤３０形態は、エンボスメント６０により形成される閉止模様に対し誇張されている。エンボスメント６０により形成された模様に同一かつ密に従わないで、接着剤３０はこのような閉止模様をこえて外方に延びている。この構成は、接着剤３０の線のより以上均等な間隔が得られる、利益がある。事実、一定の距離にとって、接着剤３０の線は相互に平行であることが認識される。
【００３６】
図４Ｃを参照すると、図４Ａと４Ｂに示すエンボスメント６０の同じ形態にとって、接着剤３０の混成型形態が示されている。図４Ｃの接着剤３０形態において、交互閉止模様は、閉止模様のアウトラインに同一に従う接着剤３０形態を有する。他の閉止模様は、接着剤３０の隣接線間の間隔を等化するため誇張されている接着剤３０形態を有する。この構成は、柔軟性について、接着剤３０の取り巻き線を有する閉止模様で、またはそれら間のヒンジ線の利益を予言的に与える。
【００３７】
本発明には、多くの他の組み合わせ、置換、および変更があることが認識される。たとえば、エンボスメント６０は図示の楕円形に限定されないで、所望の形状でよい。さらにまた、エンボスメント６０の形態は、形態を形成するため並置される複数個の隔離されるエンボスメント６０から構成されなくてよい。その代わりに、形態は、周知のような連続エンボスメント線６０により形成されてよい。すべてのこのような組み合わせ、置換、および変更は請求の範囲に含まれる。
【００３８】
本発明により製造されるラミネート１０は、周知のように、穴あけや、コア巻きされてよい。ラミネート１０を穴あけする、切断する、および巻く適当な装置は周知であり、マクネイル（McNeil）に対し１９８７年８月１８日に発行された米国特許第４，６８７，１５３号明細書；およびビルネ（Byrne）に対し１９９７年８月２６日に発行された米国特許第５，６６０，３５０号明細書に開示され、これら特許の開示はここに参考に組み入れる。本発明によるラミネート１０は、顔用テイシュ、ハンカチ、ナプキン、ワイプ等に通常にされるように、切断して個別ユニットにもできる。個別テイシュ等を包装する例は、ここに参考に組み入れる、ヤング（Young）に対し１９９７年7月8日に発行された米国特許第５，６６4，８９７号明細書に開示されている。
【００３９】
本発明によるラミネート１０の包装と用途は上記のものに限定されないと理解されたい。本発明によるラミネート１０は多様な適当な形式で包装、出荷および使用される。
【図面の簡単な説明】
【図１】
明確化のため、部分的に分離されたプライを有する本発明によるラミネートの斜視側面図である。
【図２】
本発明を得るため利用される装置の略側面図である。
【図３】
接着剤の２つの異なる本質的に連続するグリッドを有する本発明によるラミネートの１つのプライの内面の平面図である。
【図４Ａ】
個別閉止図形からなる接着剤模様に重ね合わさる接着剤の連続グリッドを有する本発明によるラミネートの１つのプライの内面の平面図である。
【図４Ｂ】
エンボスメントのアウトラインに従わないで、接着剤の隣接線間の間隔をより以上等化するため誇張される、個別閉止図形からなる接着剤模様を有する図４Ａに示すエンボス加工形態の１つのプライの内面の平面図である。
【図４Ｃ】
図４Ａと４Ｂに示す形態の混成である接着剤形態を有するラミネートの内面の平面図である。